(57)【要約】【課題】本発明はマウスパッドスライド防止装置を開示した。【解決手段】スライド防止板を含み、前記スライド防止板の中には挟み装置が設けられ、前記スライド防止板の下側には底板が設けられ、前記底板の前端には支え板が固定的に設けられ、前記スライド防止板の前端が前記支え板に回転できるように連結され、前記スライド防止板と前記底板との間には支持装置が設けられ、前記支持装置の後側には制御装置が設けられ、前記挟み装置が前記マウスパッドをきつく挟みマウスパッドのスライドを防止し、前記支持装置が前記スライド防止板を一定の角度に支持し、前記制御装置が前記挟み装置と前記支持装置とを制御する。【選択図】図１
2020173756.tif 000002
【特許請求の範囲】
【請求項１】
スライド防止板を含み、前記スライド防止板の中には挟み装置が設けられ、前記スライド防止板の下側には底板が設けられ、前記底板の前端には支え板が固定的に設けられ、前記スライド防止板の前端が前記支え板に回転できるように連結され、前記スライド防止板と前記底板との間には支持装置が設けられ、前記支持装置の後側には制御装置が設けられ、前記挟み装置が前記マウスパッドをきつく挟みマウスパッドのスライドを防止し、前記支持装置が前記スライド防止板を一定の角度に支持し、前記制御装置が前記挟み装置と前記支持装置とを制御し、前記挟み装置は前記スライド防止板の中に設けられて上方に開口した挟みチャンバを含み、前記挟みチャンバの左右壁には上挟み板が対称的に固定的に設けられ、前記挟みチャンバの中には下挟み板がスライドできるように設けられ、前記挟みチャンバの下壁の左右両端には連結ロッドチャンバが対称的に且つ連通するように設けられ、前記連結ロッドチャンバのうち中心に近接する側には押しロッドチャンバが連通するように設けられ、前記押しロッドチャンバの中には押しロッドが左右に対称的に且つスライドできるように設けられ、前記押しロッドの一端が前記連結ロッドチャンバの中に伸びており、且つ前記押しロッドの一端には連結ロッドがヒンジによって連結され、前記連結ロッドの上端が前記下挟み板の下端面に回転できるように連結され、前記押しロッドチャンバの中の中間にはカムが設けられ、前記カムの下端と前記押しロッドチャンバの下壁との間にはトーションバネが固定的に連結され、前記カムの下側にはロック装置が設けられ、
前記挟み装置がマウスパッドをきつく挟みマウスパッドのスライドを防止し、また前記ロック装置によりロックし、前記支持装置がマウスパッドの角度を調節し、前記制御装置により制御することを特徴とするマウスパッドスライド防止装置。
【請求項２】
前記支持装置は前記スライド防止板の下端面の中に設けられた後方に開口した開口チャンバを含み、前記底板の上端面の中にはスライドチャンバが設けられ、前記スライドチャンバの中にはねじロッドが回転できるように設けられ、前記スライドチャンバの中には前記ねじロッドにねじ山により連結されたスライドブロックがスライドできるように設けられ、前記スライドブロックの上端には押しロッドが回転できるように連結され、前記押しロッドの前端が前記開口チャンバの前後壁に回転できるように連結され、前記スライドチャンバの後側には歯車チャンバが設けられ、前記ねじロッドの後端が前記歯車チャンバの中に伸びているところには従動平歯車が固定的に連結され、
前記押しロッドにより前記スライド防止板を支持し、前記スライド防止板の角度を調節することを特徴とする請求項１に記載のマウスパッドスライド防止装置。
【請求項３】
前記制御装置は前記底板の上端面にスライドできるように連結されたスライド板を含み、前記押しロッドチャンバの中には上方に開口したガイドスライドチャンバが設けられ、前記ガイドスライドチャンバの中には前記スライド板の下端に固定的に連結されたガイドスライドブロックがスライドできるように連結され、前記ガイドスライドブロックの前端と前記ガイドスライドチャンバの前壁との間には復帰バネが固定的に連結され、前記回転軸の中には回転軸が前後に貫通しており、且つ回転できるように設けられ、前記回転軸の後端にはノブが固定的に連結され、前記回転軸の前端には駆動傘歯車が固定的に連結され、前記駆動傘歯車の前端には前記従動平歯車と噛合できる駆動平歯車が固定的に連結され、前記駆動傘歯車の上端には前記駆動傘歯車と噛合できる従動傘歯車が回転できるように設けられ、前記従動傘歯車の上端には前記カムに固定的に連結された伝動軸が固定的に連結され、
前記スライド板を移動して噛合切り替えを行い、前記ノブを回転させて調節を行うことを特徴とする請求項１に記載のマウスパッドスライド防止装置。
【請求項４】
前記ロック装置は前記カムの下端面の中には左右に対称的に設けられた引っ掛かり溝を含み、前記押しロッドチャンバの下壁には引っ掛かりブロックチャンバが左右に対称しており、且つ連通するように設けられ、前記引っ掛かりブロックチャンバの中には引っ掛かりブロックがスライドできるように設けられ、前記引っ掛かりブロックの下端と前記引っ掛かりブロックチャンバの下壁との間には圧縮バネが固定的に連結され、前記引っ掛かりブロックチャンバのうち中心に近接する側には前記開口チャンバに連通しているスライドロッドチャンバが連通するように設けられ、前記引っ掛かりブロックの一端には前記スライドロッドチャンバを貫通しており、且つ前記開口チャンバの中に伸びた斜面ロッドが固定的に連結され、前記スライド板の前端面には前記斜面ロッドとスライドできるように連結された斜面ブロックが左右に対称的に固定的に連結され、
前記引っ掛かりブロックを移出して前記引っ掛かり溝のロックを解除することを特徴とする請求項１に記載のマウスパッドスライド防止装置。
【発明の詳細な説明】
【技術分野】
【０００１】
本発明は生活用品技術分野を取り上げて、具体的にはマウスパッドスライド防止装置である。
【背景技術】
【０００２】
マウスパッドはコンピューターを使用する時に使う補助道具であり、椅子にもたれる時、快適さを調節するため、マウスパッドを一定の角度に調節する必要があり、しかしマウスパッドが滑り落ちやすく、水平状態でマウスを速く動かす時、マウスパッドが共にスライドすることがあり、マウスの操作に影響し、従って、マウスパッドスライド防止装置が必要とされ、本装置はニーズにより角度を調整でき、マウスパッドのスライドも防止でき、使用に便利である。
【先行技術文献】
【特許文献】
【０００３】
【特許文献１】中国特許出願公開第１０７８３１９３２号明細書
【発明の概要】
【発明が解決しようとする課題】
【０００４】
本発明の目的はマウスパッドスライド防止装置を提供し、それは上記の現在の技術中の問題を解決できる。
【課題を解決するための手段】
【０００５】
本発明のマウスパッドスライド防止装置は、スライド防止板を含み、前記スライド防止板の中には挟み装置が設けられ、前記スライド防止板の下側には底板が設けられ、前記底板の前端には支え板が固定的に設けられ、前記スライド防止板の前端が前記支え板に回転できるように連結され、前記スライド防止板と前記底板との間には支持装置が設けられ、前記支持装置の後側には制御装置が設けられ、前記挟み装置が前記マウスパッドをきつく挟みマウスパッドのスライドを防止し、前記支持装置が前記スライド防止板を一定の角度に支持し、前記制御装置が前記挟み装置と前記支持装置とを制御し、前記挟み装置は前記スライド防止板の中に設けられて上方に開口した挟みチャンバを含み、前記挟みチャンバの左右壁には上挟み板が対称的に固定的に設けられ、前記挟みチャンバの中には下挟み板がスライドできるように設けられ、前記挟みチャンバの下壁の左右両端には連結ロッドチャンバが対称的に且つ連通するように設けられ、前記連結ロッドチャンバのうち中心に近接する側には押しロッドチャンバが連通するように設けられ、前記押しロッドチャンバの中には押しロッドが左右に対称的に且つスライドできるように設けられ、前記押しロッドの一端が前記連結ロッドチャンバの中に伸びており、且つ前記押しロッドの一端には連結ロッドがヒンジによって連結され、前記連結ロッドの上端が前記下挟み板の下端面に回転できるように連結され、前記押しロッドチャンバの中の中間にはカムが設けられ、前記カムの下端と前記押しロッドチャンバの下壁との間にはトーションバネが固定的に連結され、前記カムの下側にはロック装置が設けられ、
前記挟み装置がマウスパッドをきつく挟みマウスパッドのスライドを防止し、また前記ロック装置によりロックし、前記支持装置がマウスパッドの角度を調節し、前記制御装置により制御する。
【０００６】
更の技術プラン、前記支持装置は前記スライド防止板の下端面の中に設けられた後方に開口した開口チャンバを含み、前記底板の上端面の中にはスライドチャンバが設けられ、前記スライドチャンバの中にはねじロッドが回転できるように設けられ、前記スライドチャンバの中には前記ねじロッドにねじ山により連結されたスライドブロックがスライドできるように設けられ、前記スライドブロックの上端には押しロッドが回転できるように連結され、前記押しロッドの前端が前記開口チャンバの前後壁に回転できるように連結され、前記スライドチャンバの後側には歯車チャンバが設けられ、前記ねじロッドの後端が前記歯車チャンバの中に伸びているところには従動平歯車が固定的に連結され、
前記押しロッドにより前記スライド防止板を支持し、前記スライド防止板の角度を調節する。
【０００７】
更の技術プラン、前記制御装置は前記底板の上端面にスライドできるように連結されたスライド板を含み、前記押しロッドチャンバの中には上方に開口したガイドスライドチャンバが設けられ、前記ガイドスライドチャンバの中には前記スライド板の下端に固定的に連結されたガイドスライドブロックがスライドできるように連結され、前記ガイドスライドブロックの前端と前記ガイドスライドチャンバの前壁との間には復帰バネが固定的に連結され、前記回転軸の中には回転軸が前後に貫通しており、且つ回転できるように設けられ、前記回転軸の後端にはノブが固定的に連結され、前記回転軸の前端には駆動傘歯車が固定的に連結され、前記駆動傘歯車の前端には前記従動平歯車と噛合できる駆動平歯車が固定的に連結され、前記駆動傘歯車の上端には前記駆動傘歯車と噛合できる従動傘歯車が回転できるように設けられ、前記従動傘歯車の上端には前記カムに固定的に連結された伝動軸が固定的に連結され、
前記スライド板を移動して噛合切り替えを行い、前記ノブを回転させて調節を行う。
【０００８】
更の技術プラン、前記ロック装置は前記カムの下端面の中には左右に対称的に設けられた引っ掛かり溝を含み、前記押しロッドチャンバの下壁には引っ掛かりブロックチャンバが左右に対称しており、且つ連通するように設けられ、前記引っ掛かりブロックチャンバの中には引っ掛かりブロックがスライドできるように設けられ、前記引っ掛かりブロックの下端と前記引っ掛かりブロックチャンバの下壁との間には圧縮バネが固定的に連結され、前記引っ掛かりブロックチャンバのうち中心に近接する側には前記開口チャンバに連通しているスライドロッドチャンバが連通するように設けられ、前記引っ掛かりブロックの一端には前記スライドロッドチャンバを貫通しており、且つ前記開口チャンバの中に伸びた斜面ロッドが固定的に連結され、前記スライド板の前端面には前記斜面ロッドとスライドできるように連結された斜面ブロックが左右に対称的に固定的に連結され、
前記引っ掛かりブロックを移出して前記引っ掛かり溝のロックを解除する。
【発明の効果】
【０００９】
本発明は構造が簡単で、操作が便利であり、本装置によってマウスパッドの角度を調節し快適さに適応させ、同時にマウスをきつく挟むことができ、どんな角度でもマウスパッドのスライドを防止できる。
【図面の簡単な説明】
【００１０】
【図１】図１は本発明のマウスパッドスライド防止装置の内部全体構成略図
【図２】図２は図１のＡ−Ａの構成略図
【図３】図３は図１のＢの拡大略図
【図４】図４は図２のＣの拡大略図
【図５】図５は図３のＤ−Ｄの構成略図
【図６】図６は図３のＥ−Ｅの構成略図
【発明を実施するための形態】
【００１１】
以下、図１〜６を合わせて本発明について詳しく説明し、また、説明の便利を図るため、下記に記載の上下左右前後方向が図１自身の投影関係の上下左右前後方向と一致することにする。
【００１２】
図１〜６を参照し、本発明のマウスパッドスライド防止装置は、スライド防止板１１を含み、前記スライド防止板１１の中には挟み装置１０１が設けられ、前記スライド防止板１１の下側には底板１２が設けられ、前記底板１２の前端には支え板１３が固定的に設けられ、前記スライド防止板１１の前端が前記支え板１３に回転できるように連結され、前記スライド防止板１１と前記底板１２との間には支持装置１０２が設けられ、前記支持装置１０２の後側には制御装置１０３が設けられ、前記挟み装置１０１が前記マウスパッドをきつく挟みマウスパッドのスライドを防止し、前記支持装置１０２が前記スライド防止板１１を一定の角度に支持し、前記制御装置１０３が前記挟み装置１０１と前記支持装置１０２とを制御し、前記挟み装置１０１は前記スライド防止板１１の中に設けられて上方に開口した挟みチャンバ１４を含み、前記挟みチャンバ１４の左右壁には上挟み板１５が対称的に固定的に設けられ、前記挟みチャンバ１４の中には下挟み板１６がスライドできるように設けられ、前記挟みチャンバ１４の下壁の左右両端には連結ロッドチャンバ１７が対称的に且つ連通するように設けられ、前記連結ロッドチャンバ１７のうち中心に近接する側には押しロッドチャンバ１８が連通するように設けられ、前記押しロッドチャンバ１８の中には押しロッド１９が左右に対称的に且つスライドできるように設けられ、前記押しロッド１９の一端が前記連結ロッドチャンバ１７の中に伸びており、且つ前記押しロッド１９の一端には連結ロッド２０がヒンジによって連結され、前記連結ロッド２０の上端が前記下挟み板１６の下端面に回転できるように連結され、前記押しロッドチャンバ１８の中の中間にはカム２１が設けられ、前記カム２１の下端と前記押しロッドチャンバ１８の下壁との間にはトーションバネ２２が固定的に連結され、前記カム２１の下側にはロック装置１０４が設けられ、
前記挟み装置１０１がマウスパッドをきつく挟みマウスパッドのスライドを防止し、また前記ロック装置１０４によりロックし、前記支持装置１０２がマウスパッドの角度を調節し、前記制御装置１０３により制御する。
【００１３】
有益的には、前記支持装置１０２は前記スライド防止板１１の下端面の中に設けられた後方に開口した開口チャンバ２３を含み、前記底板１２の上端面の中にはスライドチャンバ２５が設けられ、前記スライドチャンバ２５の中にはねじロッド２６が回転できるように設けられ、前記スライドチャンバ２５の中には前記ねじロッド２６にねじ山により連結されたスライドブロック２７がスライドできるように設けられ、前記スライドブロック２７の上端には押しロッド２８が回転できるように連結され、前記押しロッド２８の前端が前記開口チャンバ２３の前後壁に回転できるように連結され、前記スライドチャンバ２５の後側には歯車チャンバ２９が設けられ、前記ねじロッド２６の後端が前記歯車チャンバ２９の中に伸びているところには従動平歯車３０が固定的に連結され、
前記押しロッド２８により前記スライド防止板１１を支持し、前記スライド防止板１１の角度を調節する。
【００１４】
有益的には、前記制御装置１０３は前記底板１２の上端面にスライドできるように連結されたスライド板３１を含み、前記押しロッドチャンバ１８の中には上方に開口したガイドスライドチャンバ３２が設けられ、前記ガイドスライドチャンバ３２の中には前記スライド板３１の下端に固定的に連結されたガイドスライドブロック３３がスライドできるように連結され、前記ガイドスライドブロック３３の前端と前記ガイドスライドチャンバ３２の前壁との間には復帰バネ３４が固定的に連結され、前記回転軸３５の中には回転軸３５が前後に貫通しており、且つ回転できるように設けられ、前記回転軸３５の後端にはノブ４０が固定的に連結され、前記回転軸３５の前端には駆動傘歯車３６が固定的に連結され、前記駆動傘歯車３６の前端には前記従動平歯車３０と噛合できる駆動平歯車３７が固定的に連結され、前記駆動傘歯車３６の上端には前記駆動傘歯車３６と噛合できる従動傘歯車３８が回転できるように設けられ、前記従動傘歯車３８の上端には前記カム２１に固定的に連結された伝動軸３９が固定的に連結され、
前記スライド板３１を移動して噛合切り替えを行い、前記ノブ４０を回転させて調節を行う。
【００１５】
有益的には、前記ロック装置１０４は前記カム２１の下端面の中には左右に対称的に設けられた引っ掛かり溝４１を含み、前記押しロッドチャンバ１８の下壁には引っ掛かりブロックチャンバ４２が左右に対称しており、且つ連通するように設けられ、前記引っ掛かりブロックチャンバ４２の中には引っ掛かりブロック４３がスライドできるように設けられ、前記引っ掛かりブロック４３の下端と前記引っ掛かりブロックチャンバ４２の下壁との間には圧縮バネ４４が固定的に連結され、前記引っ掛かりブロックチャンバ４２のうち中心に近接する側には前記開口チャンバ２３に連通しているスライドロッドチャンバ４５が連通するように設けられ、前記引っ掛かりブロック４３の一端には前記スライドロッドチャンバ４５を貫通しており、且つ前記開口チャンバ２３の中に伸びた斜面ロッド４６が固定的に連結され、前記スライド板３１の前端面には前記斜面ロッド４６とスライドできるように連結された斜面ブロック４７が左右に対称的に固定的に連結され、
前記引っ掛かりブロック４３を移出して前記引っ掛かり溝４１のロックを解除する。
【００１６】
初期状態では、下挟み板１６が下限界位置にあり、引っ掛かりブロック４３の上端とカム２１の下端面とが当接しており、駆動傘歯車３６と従動傘歯車３８とが噛合し、駆動平歯車３７と従動平歯車３０とが噛合しない。
【００１７】
使用する時、マウスパッドを下挟み板１６に平に置き、マウスパッドの両端を上挟み板１５の下側に置き、ノブ４０を回して回転軸３５を回転連動させ、駆動傘歯車３６を回転連動させ、歯車の噛合により従動傘歯車３８を回転連動させ、伝動軸３９によりカム２１を回転連動させ、その時カム２１の突出端と押しロッド１９とが当接し、前記押しロッド１９を両側へ押し動かして移動させ、その時引っ掛かりブロック４３の上端が引っ掛かり溝４１の中に入り固定され、押しロッド１９が連結ロッド２０により下挟み板１６を押し動かして上に移動させ、下挟み板１６と上挟み板１５とがマウスパッドの両端をきつく挟み、前へノブ４０を押してスライド板３１を前に移動連動させ、その時駆動平歯車３７と従動平歯車３０とが噛合し、ノブ４０を回転させて駆動平歯車３７を回転連動させ、歯車の噛合により従動平歯車３０を回転連動させてねじロッド２６を回転連動させ、ねじ山の連結によりスライドブロック２７を前に移動連動させ、押しロッド２８によりスライド防止板１１の後端を上に反転させて角度を調節し、
マウスパッドを取る時、力を入れてノブ４０を押し、その時斜面ブロック４７が斜面ロッド４６と当接するまで前に移動し、また斜面スライドにより斜面ロッド４６を下に移動連動させ、引っ掛かりブロック４３を連動させて引っ掛かり溝４１から移出し、カム２１がトーションバネ２２の弾力により復帰する。
【００１８】
本発明の有益効果は：本発明は構造が簡単で、操作が便利であり、本装置によってマウスパッドの角度を調節し快適さに適応させ、同時にマウスをきつく挟むことができ、どんな角度でもマウスパッドのスライドを防止できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020173756.tif 000003
【図２】
2020173756.tif 000004
【図３】
2020173756.tif 000005
【図４】
2020173756.tif 000006
【図５】
2020173756.tif 000007
【図６】
2020173756.tif 000008
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
スライド防止板を含み、前記スライド防止板の中には挟み装置が設けられ、前記スライド防止板の下側には底板が設けられ、前記底板の前端には支え板が固定的に設けられ、前記スライド防止板の前端が前記支え板に回転できるように連結され、前記スライド防止板と前記底板との間には支持装置が設けられ、前記支持装置の後側には制御装置が設けられ、前記挟み装置が前記マウスパッドをきつく挟みマウスパッドのスライドを防止し、前記支持装置が前記スライド防止板を一定の角度に支持し、前記制御装置が前記挟み装置と前記支持装置とを制御し、前記挟み装置は前記スライド防止板の中に設けられて上方に開口した挟みチャンバを含み、前記挟みチャンバの左右壁には上挟み板が対称的に固定的に設けられ、前記挟みチャンバの中には下挟み板がスライドできるように設けられ、前記挟みチャンバの下壁の左右両端には連結ロッドチャンバが対称的に且つ連通するように設けられ、前記連結ロッドチャンバのうち中心に近接する側には押しロッドチャンバが連通するように設けられ、前記押しロッドチャンバの中には押しロッドが左右に対称的に且つスライドできるように設けられ、前記押しロッドの一端が前記連結ロッドチャンバの中に伸びており、且つ前記押しロッドの一端には連結ロッドがヒンジによって連結され、前記連結ロッドの上端が前記下挟み板の下端面に回転できるように連結され、前記押しロッドチャンバの中の中間にはカムが設けられ、前記カムの下端と前記押しロッドチャンバの下壁との間にはトーションバネが固定的に連結され、前記カムの下側にはロック装置が設けられ、前記挟み装置がマウスパッドをきつく挟みマウスパッドのスライドを防止し、また前記ロック装置によりロックし、前記支持装置がマウスパッドの角度を調節し、前記制御装置により制御することを特徴とするマウスパッドスライド防止装置。
【請求項２】
前記支持装置は前記スライド防止板の下端面の中に設けられた後方に開口した開口チャンバを含み、前記底板の上端面の中にはスライドチャンバが設けられ、前記スライドチャンバの中にはねじロッドが回転できるように設けられ、前記スライドチャンバの中には前記ねじロッドにねじ山により連結されたスライドブロックがスライドできるように設けられ、前記スライドブロックの上端には押しロッドが回転できるように連結され、前記押しロッドの前端が前記開口チャンバの前後壁に回転できるように連結され、前記スライドチャンバの後側には歯車チャンバが設けられ、前記ねじロッドの後端が前記歯車チャンバの中に伸びているところには従動平歯車が固定的に連結され、
前記押しロッドにより前記スライド防止板を支持し、前記スライド防止板の角度を調節することを特徴とする請求項１に記載のマウスパッドスライド防止装置。
【請求項３】
前記制御装置は前記底板の上端面にスライドできるように連結されたスライド板を含み、前記押しロッドチャンバの中には上方に開口したガイドスライドチャンバが設けられ、前記ガイドスライドチャンバの中には前記スライド板の下端に固定的に連結されたガイドスライドブロックがスライドできるように連結され、前記ガイドスライドブロックの前端と前記ガイドスライドチャンバの前壁との間には復帰バネが固定的に連結され、前記回転軸の後端にはノブが固定的に連結され、前記回転軸の前端には駆動傘歯車が固定的に連結され、前記駆動傘歯車の前端には前記従動平歯車と噛合できる駆動平歯車が固定的に連結され、前記駆動傘歯車の上端には前記駆動傘歯車と噛合できる従動傘歯車が回転できるように設けられ、前記従動傘歯車の上端には前記カムに固定的に連結された伝動軸が固定的に連結され、
前記スライド板を移動して噛合切り替えを行い、前記ノブを回転させて調節を行うことを特徴とする請求項１に記載のマウスパッドスライド防止装置。
【請求項４】
前記ロック装置は前記カムの下端面の中には左右に対称的に設けられた引っ掛かり溝を含み、前記押しロッドチャンバの下壁には引っ掛かりブロックチャンバが左右に対称しており、且つ連通するように設けられ、前記引っ掛かりブロックチャンバの中には引っ掛かりブロックがスライドできるように設けられ、前記引っ掛かりブロックの下端と前記引っ掛かりブロックチャンバの下壁との間には圧縮バネが固定的に連結され、前記引っ掛かりブロックチャンバのうち中心に近接する側には前記開口チャンバに連通しているスライドロッドチャンバが連通するように設けられ、前記引っ掛かりブロックの一端には前記スライドロッドチャンバを貫通しており、且つ前記開口チャンバの中に伸びた斜面ロッドが固定的に連結され、前記スライド板の前端面には前記斜面ロッドとスライドできるように連結された斜面ブロックが左右に対称的に固定的に連結され、
前記引っ掛かりブロックを移出して前記引っ掛かり溝のロックを解除することを特徴とする請求項１に記載のマウスパッドスライド防止装置。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはマウスパッドスライド防止装置である。
【背景技術】
【０００２】
マウスパッドはコンピューターを使用する時に使う補助道具であり、椅子にもたれる時、快適さを調節するため、マウスパッドを一定の角度に調節する必要があり、しかしマウスパッドが滑り落ちやすく、水平状態でマウスを速く動かす時、マウスパッドが共にスライドすることがあり、マウスの操作に影響し、従って、マウスパッドスライド防止装置が必要とされ、本装置はニーズにより角度を調整でき、マウスパッドのスライドも防止でき、使用に便利である。
【先行技術文献】
【特許文献】
【０００３】
【特許文献１】中国特許出願公開第１０７８３１９３２号明細書
【発明の概要】
【発明が解決しようとする課題】
【０００４】
本発明の目的はマウスパッドスライド防止装置を提供し、それは上記の現在の技術中の問題を解決できる。
【課題を解決するための手段】
【０００５】
本発明のマウスパッドスライド防止装置は、スライド防止板を含み、前記スライド防止板の中には挟み装置が設けられ、前記スライド防止板の下側には底板が設けられ、前記底板の前端には支え板が固定的に設けられ、前記スライド防止板の前端が前記支え板に回転できるように連結され、前記スライド防止板と前記底板との間には支持装置が設けられ、前記支持装置の後側には制御装置が設けられ、前記挟み装置が前記マウスパッドをきつく挟みマウスパッドのスライドを防止し、前記支持装置が前記スライド防止板を一定の角度に支持し、前記制御装置が前記挟み装置と前記支持装置とを制御し、前記挟み装置は前記スライド防止板の中に設けられて上方に開口した挟みチャンバを含み、前記挟みチャンバの左右壁には上挟み板が対称的に固定的に設けられ、前記挟みチャンバの中には下挟み板がスライドできるように設けられ、前記挟みチャンバの下壁の左右両端には連結ロッドチャンバが対称的に且つ連通するように設けられ、前記連結ロッドチャンバのうち中心に近接する側には押しロッドチャンバが連通するように設けられ、前記押しロッドチャンバの中には押しロッドが左右に対称的に且つスライドできるように設けられ、前記押しロッドの一端が前記連結ロッドチャンバの中に伸びており、且つ前記押しロッドの一端には連結ロッドがヒンジによって連結され、前記連結ロッドの上端が前記下挟み板の下端面に回転できるように連結され、前記押しロッドチャンバの中の中間にはカムが設けられ、前記カムの下端と前記押しロッドチャンバの下壁との間にはトーションバネが固定的に連結され、前記カムの下側にはロック装置が設けられ、
前記挟み装置がマウスパッドをきつく挟みマウスパッドのスライドを防止し、また前記ロック装置によりロックし、前記支持装置がマウスパッドの角度を調節し、前記制御装置により制御する。
【０００６】
更の技術プラン、前記支持装置は前記スライド防止板の下端面の中に設けられた後方に開口した開口チャンバを含み、前記底板の上端面の中にはスライドチャンバが設けられ、前記スライドチャンバの中にはねじロッドが回転できるように設けられ、前記スライドチャンバの中には前記ねじロッドにねじ山により連結されたスライドブロックがスライドできるように設けられ、前記スライドブロックの上端には押しロッドが回転できるように連結され、前記押しロッドの前端が前記開口チャンバの前後壁に回転できるように連結され、前記スライドチャンバの後側には歯車チャンバが設けられ、前記ねじロッドの後端が前記歯車チャンバの中に伸びているところには従動平歯車が固定的に連結され、
前記押しロッドにより前記スライド防止板を支持し、前記スライド防止板の角度を調節する。
【０００７】
更の技術プラン、前記制御装置は前記底板の上端面にスライドできるように連結されたスライド板を含み、前記押しロッドチャンバの中には上方に開口したガイドスライドチャンバが設けられ、前記ガイドスライドチャンバの中には前記スライド板の下端に固定的に連結されたガイドスライドブロックがスライドできるように連結され、前記ガイドスライドブロックの前端と前記ガイドスライドチャンバの前壁との間には復帰バネが固定的に連結され、前記回転軸の後端にはノブが固定的に連結され、前記回転軸の前端には駆動傘歯車が固定的に連結され、前記駆動傘歯車の前端には前記従動平歯車と噛合できる駆動平歯車が固定的に連結され、前記駆動傘歯車の上端には前記駆動傘歯車と噛合できる従動傘歯車が回転できるように設けられ、前記従動傘歯車の上端には前記カムに固定的に連結された伝動軸が固定的に連結され、
前記スライド板を移動して噛合切り替えを行い、前記ノブを回転させて調節を行う。
【０００８】
更の技術プラン、前記ロック装置は前記カムの下端面の中には左右に対称的に設けられた引っ掛かり溝を含み、前記押しロッドチャンバの下壁には引っ掛かりブロックチャンバが左右に対称しており、且つ連通するように設けられ、前記引っ掛かりブロックチャンバの中には引っ掛かりブロックがスライドできるように設けられ、前記引っ掛かりブロックの下端と前記引っ掛かりブロックチャンバの下壁との間には圧縮バネが固定的に連結され、前記引っ掛かりブロックチャンバのうち中心に近接する側には前記開口チャンバに連通しているスライドロッドチャンバが連通するように設けられ、前記引っ掛かりブロックの一端には前記スライドロッドチャンバを貫通しており、且つ前記開口チャンバの中に伸びた斜面ロッドが固定的に連結され、前記スライド板の前端面には前記斜面ロッドとスライドできるように連結された斜面ブロックが左右に対称的に固定的に連結され、
前記引っ掛かりブロックを移出して前記引っ掛かり溝のロックを解除する。
【発明の効果】
【０００９】
本発明は構造が簡単で、操作が便利であり、本装置によってマウスパッドの角度を調節し快適さに適応させ、同時にマウスをきつく挟むことができ、どんな角度でもマウスパッドのスライドを防止できる。
【図面の簡単な説明】
【００１０】
【図１】図１は本発明のマウスパッドスライド防止装置の内部全体構成略図
【図２】図２は図１のＡ−Ａの構成略図
【図３】図３は図１のＢの拡大略図
【図４】図４は図２のＣの拡大略図
【図５】図５は図３のＤ−Ｄの構成略図
【図６】図６は図３のＥ−Ｅの構成略図
【発明を実施するための形態】
【００１１】
以下、図１〜６を合わせて本発明について詳しく説明し、また、説明の便利を図るため、下記に記載の上下左右前後方向が図１自身の投影関係の上下左右前後方向と一致することにする。
【００１２】
図１〜６を参照し、本発明のマウスパッドスライド防止装置は、スライド防止板１１を含み、前記スライド防止板１１の中には挟み装置１０１が設けられ、前記スライド防止板１１の下側には底板１２が設けられ、前記底板１２の前端には支え板１３が固定的に設けられ、前記スライド防止板１１の前端が前記支え板１３に回転できるように連結され、前記スライド防止板１１と前記底板１２との間には支持装置１０２が設けられ、前記支持装置１０２の後側には制御装置１０３が設けられ、前記挟み装置１０１が前記マウスパッドをきつく挟みマウスパッドのスライドを防止し、前記支持装置１０２が前記スライド防止板１１を一定の角度に支持し、前記制御装置１０３が前記挟み装置１０１と前記支持装置１０２とを制御し、前記挟み装置１０１は前記スライド防止板１１の中に設けられて上方に開口した挟みチャンバ１４を含み、前記挟みチャンバ１４の左右壁には上挟み板１５が対称的に固定的に設けられ、前記挟みチャンバ１４の中には下挟み板１６がスライドできるように設けられ、前記挟みチャンバ１４の下壁の左右両端には連結ロッドチャンバ１７が対称的に且つ連通するように設けられ、前記連結ロッドチャンバ１７のうち中心に近接する側には押しロッドチャンバ１８が連通するように設けられ、前記押しロッドチャンバ１８の中には押しロッド１９が左右に対称的に且つスライドできるように設けられ、前記押しロッド１９の一端が前記連結ロッドチャンバ１７の中に伸びており、且つ前記押しロッド１９の一端には連結ロッド２０がヒンジによって連結され、前記連結ロッド２０の上端が前記下挟み板１６の下端面に回転できるように連結され、前記押しロッドチャンバ１８の中の中間にはカム２１が設けられ、前記カム２１の下端と前記押しロッドチャンバ１８の下壁との間にはトーションバネ２２が固定的に連結され、前記カム２１の下側にはロック装置１０４が設けられ、
前記挟み装置１０１がマウスパッドをきつく挟みマウスパッドのスライドを防止し、また前記ロック装置１０４によりロックし、前記支持装置１０２がマウスパッドの角度を調節し、前記制御装置１０３により制御する。
【００１３】
有益的には、前記支持装置１０２は前記スライド防止板１１の下端面の中に設けられた後方に開口した開口チャンバ２３を含み、前記底板１２の上端面の中にはスライドチャンバ２５が設けられ、前記スライドチャンバ２５の中にはねじロッド２６が回転できるように設けられ、前記スライドチャンバ２５の中には前記ねじロッド２６にねじ山により連結されたスライドブロック２７がスライドできるように設けられ、前記スライドブロック２７の上端には押しロッド２８が回転できるように連結され、前記押しロッド２８の前端が前記開口チャンバ２３の前後壁に回転できるように連結され、前記スライドチャンバ２５の後側には歯車チャンバ２９が設けられ、前記ねじロッド２６の後端が前記歯車チャンバ２９の中に伸びているところには従動平歯車３０が固定的に連結され、
前記押しロッド２８により前記スライド防止板１１を支持し、前記スライド防止板１１の角度を調節する。
【００１４】
有益的には、前記制御装置１０３は前記底板１２の上端面にスライドできるように連結されたスライド板３１を含み、前記押しロッドチャンバ１８の中には上方に開口したガイドスライドチャンバ３２が設けられ、前記ガイドスライドチャンバ３２の中には前記スライド板３１の下端に固定的に連結されたガイドスライドブロック３３がスライドできるように連結され、前記ガイドスライドブロック３３の前端と前記ガイドスライドチャンバ３２の前壁との間には復帰バネ３４が固定的に連結され、前記回転軸３５の後端にはノブ４０が固定的に連結され、前記回転軸３５の前端には駆動傘歯車３６が固定的に連結され、前記駆動傘歯車３６の前端には前記従動平歯車３０と噛合できる駆動平歯車３７が固定的に連結され、前記駆動傘歯車３６の上端には前記駆動傘歯車３６と噛合できる従動傘歯車３８が回転できるように設けられ、前記従動傘歯車３８の上端には前記カム２１に固定的に連結された伝動軸３９が固定的に連結され、
前記スライド板３１を移動して噛合切り替えを行い、前記ノブ４０を回転させて調節を行う。
【００１５】
有益的には、前記ロック装置１０４は前記カム２１の下端面の中には左右に対称的に設けられた引っ掛かり溝４１を含み、前記押しロッドチャンバ１８の下壁には引っ掛かりブロックチャンバ４２が左右に対称しており、且つ連通するように設けられ、前記引っ掛かりブロックチャンバ４２の中には引っ掛かりブロック４３がスライドできるように設けられ、前記引っ掛かりブロック４３の下端と前記引っ掛かりブロックチャンバ４２の下壁との間には圧縮バネ４４が固定的に連結され、前記引っ掛かりブロックチャンバ４２のうち中心に近接する側には前記開口チャンバ２３に連通しているスライドロッドチャンバ４５が連通するように設けられ、前記引っ掛かりブロック４３の一端には前記スライドロッドチャンバ４５を貫通しており、且つ前記開口チャンバ２３の中に伸びた斜面ロッド４６が固定的に連結され、前記スライド板３１の前端面には前記斜面ロッド４６とスライドできるように連結された斜面ブロック４７が左右に対称的に固定的に連結され、
前記引っ掛かりブロック４３を移出して前記引っ掛かり溝４１のロックを解除する。
【００１６】
初期状態では、下挟み板１６が下限界位置にあり、引っ掛かりブロック４３の上端とカム２１の下端面とが当接しており、駆動傘歯車３６と従動傘歯車３８とが噛合し、駆動平歯車３７と従動平歯車３０とが噛合しない。
【００１７】
使用する時、マウスパッドを下挟み板１６に平に置き、マウスパッドの両端を上挟み板１５の下側に置き、ノブ４０を回して回転軸３５を回転連動させ、駆動傘歯車３６を回転連動させ、歯車の噛合により従動傘歯車３８を回転連動させ、伝動軸３９によりカム２１を回転連動させ、その時カム２１の突出端と押しロッド１９とが当接し、前記押しロッド１９を両側へ押し動かして移動させ、その時引っ掛かりブロック４３の上端が引っ掛かり溝４１の中に入り固定され、押しロッド１９が連結ロッド２０により下挟み板１６を押し動かして上に移動させ、下挟み板１６と上挟み板１５とがマウスパッドの両端をきつく挟み、前へノブ４０を押してスライド板３１を前に移動連動させ、その時駆動平歯車３７と従動平歯車３０とが噛合し、ノブ４０を回転させて駆動平歯車３７を回転連動させ、歯車の噛合により従動平歯車３０を回転連動させてねじロッド２６を回転連動させ、ねじ山の連結によりスライドブロック２７を前に移動連動させ、押しロッド２８によりスライド防止板１１の後端を上に反転させて角度を調節し、
マウスパッドを取る時、力を入れてノブ４０を押し、その時斜面ブロック４７が斜面ロッド４６と当接するまで前に移動し、また斜面スライドにより斜面ロッド４６を下に移動連動させ、引っ掛かりブロック４３を連動させて引っ掛かり溝４１から移出し、カム２１がトーションバネ２２の弾力により復帰する。
【００１８】
本発明の有益効果は：本発明は構造が簡単で、操作が便利であり、本装置によってマウスパッドの角度を調節し快適さに適応させ、同時にマウスをきつく挟むことができ、どんな角度でもマウスパッドのスライドを防止できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。